(57)【要約】      （修正有）【課題】音楽を聴かない場合でも頭部に装着し続けることができる実感に優れ、かつ防寒具としても有効なヘッドホン装置を提供する。【解決手段】Ｕ字型に形成され頭部を上方から挟持可能な弾性枠体２と、前記弾性枠体の両端部に取付けられた一対の耳当部３と、前記耳当部の一方に隣接して備えられたコード収納部６と、表面が柔らかい毛で覆われ、弾性枠体、一対の耳当部、及びコード収納部を内包して装着される毛皮袋体７を備えてヘッドホン装置を構成する。【選択図】図１
0003151291.tif 000002
【実用新案登録請求の範囲】
【請求項１】
Ｕ字型に形成され頭部を上方から挟持可能な弾性枠体と、
前記弾性枠体の両端部に取付けられた一対の耳当部と、
前記一対の耳当部にそれぞれ内蔵して備えられた一対のスピーカと、
前記耳当部の一方に隣接して備えられたコード収納部と、
表面が柔らかい毛で覆われ、弾性枠体、一対の耳当部、及びコード収納部を内包して装着される毛皮袋体を備える
ことを特徴とするヘッドホン装置。
【考案の詳細な説明】
【技術分野】
【０００１】
本考案は、ヘッドホン装置に関する。
【背景技術】
【０００２】
従来、屋外でも音楽を聴くことができる装置としてヘッドホン装置が開発されてきた。
【先行技術文献】
【特許文献】
【０００３】
【特許文献１】実開平５−２１５９１公報
【考案の概要】
【考案が解決しようとする課題】
【０００４】
しかし、従来開発されてきたヘッドホン装置は、快適に音楽を聴くことができることを目的として様々な技術が開発されているが、音楽を聴かない場合にまで頭部に装着し続けることができるものではなかった。
【課題を解決するための手段】
【０００５】
以上の問題に鑑み、本願に係るヘッドホン装置は、Ｕ字型に形成され頭部を上方から挟持可能な弾性枠体と、前記弾性枠体の両端部に取付けられた一対の耳当部と、前記一対の耳当部にそれぞれ内蔵して備えられた一対のスピーカと、前記耳当部の一方に隣接して備えられたコード収納部と、表面が柔らかい毛で覆われ、弾性枠体、一対の耳当部、及びコード収納部を内包して装着される毛皮袋体を備えることを特徴とする。
【０００６】
弾性枠体はＵ字型に形成された弾性体であり、金属または樹脂により構成されていることが好ましい。また、弾性枠体は頭頂部付近から両側頭部まで延伸し、その両端にはそれぞれ耳当部を担持するための腕部を有する。
【０００７】
一対の耳当部は、弾性枠体の両端部に取付けられており、取付けられた弾性枠体の弾性によって両耳に当接しながら使用者の頭部を狭持することができるものである。また本願考案の装着感を高めるため、弾性枠体を使用者の頭部に装着した際に、それぞれの耳当部によって使用者の耳を覆うことができるように形成されていることが好ましい。
【０００８】
それぞれの耳当部には、スピーカが内蔵されており、一方のスピーカには音楽再生機器から音楽信号を受信するためのコードが接続されており耳当部の外部まで延出している。さらに、当該一方の耳当部に隣接してコード収納部が備えられており、本願考案を用いて音楽等を聴かない場合にはコードをコード収納部に収納することができるものである。
【０００９】
また、弾性枠体、一対の耳当部、及びコード収納部が毛皮袋体により内包されて構成されていることにより、本願考案の外観が一体に見えるように形成されている。さらに当該毛皮袋体は、前記スピーカの各正面部分に対応する表面部分を除いた他の表面部分は柔らかく保温性の良い毛によって覆われていることにより、使用者の耳の防寒機能も発揮することができる。
【考案の効果】
【００１０】
本願考案によると、表面が柔らかい毛に覆われた毛皮袋体で一体となるように形成されているため美感に優れ、かつ冬などにはヘッドホンであると同時に耳の防寒具としての機能も発揮することができる。
【００１１】
さらに、音楽を聴かない場合であってもコード収納部にコードを収納することができるため、耳の防寒具としての機能は維持したまま頭部に着用し続けることができる。
【図面の簡単な説明】
【００１２】
【図１】毛皮袋体の内部を表した図である。
【図２】本願考案を示す斜視図である。
【図３】コード収納部に収納されたコードの様子を示した本願考案の底面図である。
【考案を実施するための形態】
【００１３】
以下、図を参照しながら本願考案の実施形態について詳しく説明する。
図１において、ヘッドホン装置１は、弾性枠体２と、耳当部３と、スピーカ４と、コード収納部６と、毛皮袋体７とから構成されるものである。
【００１４】
本実施例において、弾性枠体２は弾性を有する樹脂素材で形成され、Ｕ字型に成形された平板状の枠本体２１の両端部に一対の長さ調節部２２が設けられることによって長さ調節可能に構成されている。
【００１５】
それぞれの長さ調節部２２には、長さ方向の内側端面に開口２２１が形成され、該開口２２１に枠本体２１の端部が挿入されている。長さ調節は、開口２２１に挿入された枠本体２１の端部の挿入長さを調節し、枠本体２１の端部を任意の位置で係止することにより調節が可能となる。
【００１６】
また、一対の長さ調節部２２の端部にはそれぞれ耳当部３を担持するための腕部２３が形成されている。腕部２３は、耳当部３を上下方向に回転可能に担持しており、装着時に耳と当接するために耳当部３が自在に回転できるように構成されている。
【００１７】
耳当部３は、格納部３１と、スピーカ４の正面に形成されたメッシュ部３２と、メッシュ部３２の外周縁に形成されたクッション部３３とによって構成され、左右の耳当部３の格納部３１にはそれぞれスピーカ４が内蔵されている。
【００１８】
スピーカ４の一方にはコード５が接続されており、前記格納部３１の外部へ延出している。一方、格納部３１の外部へ延出したコード５は、耳当部３に隣接して形成されたコード収納部６内に収納可能に構成されている。
【００１９】
コード収納部６の外縁の一部には、開閉可能な収納口６１が設けられている。本願発明の使用者は、コード収納部６内に収納されていたコード５を当該収納口６１から引き出して音楽再生機に接続することによってスピーカ４から音楽等を聴くことができる。
【００２０】
毛皮袋体７は、弾性枠体２と、耳当部３と、スピーカ４と、コード収納部６とを内包して形成されている。毛皮袋体７の表面上は、肌触りの良い柔らかい毛７１で覆われており、ヘッドホン装置１を頭部に装着することによって、音楽等を聴くことができると同時に使用者の耳の防寒機能も発揮することができる。
【００２１】
毛皮袋体７において、耳当部３のメッシュ部３２及びコード収納部６の収納口６１に対応して開口部７２、７３が設けられている。これにより、メッシュ部３２は使用者の耳に直接当接できるように構成され、コード収納部６に収納されていたコード５は収納口６１を介してヘッドホン装置１の外部へ引き出すことができる。
【００２２】
使用者は、ヘッドホン装置１を頭に装着し、コード収納部６からコード５を引き出して音楽再生装置に接続することにより、再生された音楽を耳当部３から聴くことができる。さらに音楽を聴かない場合には、コード５をコード収納部６に収納すれば邪魔にならず、また、耳当部３によって耳を防寒することができ、ヘッドホン装置１を耳の防寒具として頭に装着したまま使用し続けることができる。
【符号の説明】
【００２３】
１  ヘッドホン装置
２  弾性枠体
３  耳当部
４  スピーカ
５  コード
６  コード収納部
７  毛皮袋体７
【図１】
0003151291.tif 000003
【図２】
0003151291.tif 000004
【図３】
0003151291.tif 000005